(57)【特許請求の範囲】
【請求項１】
ポータブル録音再生装置と携帯機器からなる録音再生システムであって、
前記携帯機器は、
無線ＬＡＮモジュールと、
録音に関する複数の設定項目に対する複数の設定値の組み合わせからなる録音パラメータの設定値セットを記録する携帯機器側メモリと、
を備え、
前記ポータブル録音再生装置は、
無線ＬＡＮモジュールと、
オーディオ信号を入力する入力手段と、
録音に関する複数の設定項目に対する複数の設定値の組み合わせからなる録音パラメータの設定値セットを記録する装置側メモリと、
録音パラメータの設定値セットを用いて前記オーディオ信号を記録媒体に記録する処理手段と、
を備え、
前記処理手段は、前記無線ＬＡＮモジュールと携帯機器が無線接続された場合に、前記携帯機器側メモリ及び前記装置側メモリに記録された複数の設定値セットの中からユーザによって選択された設定値セットを用いて前記オーディオ信号を記録する
ことを特徴とする録音再生システム。
【請求項２】
請求項１記載の録音再生装置システムにおいて、さらに、
前記ポータブル録音再生装置は、
再生パラメータの複数の設定値を記録する第２メモリ
を備え、
前記処理手段は、前記無線ＬＡＮモジュールと携帯機器が無線接続された場合に、前記携帯機器から無線送信された選択コマンドに応じ、前記第２メモリに記録された複数の設定値の中から選択された設定値を用いて前記オーディオ信号を再生する
ことを特徴とする録音再生システム。
【請求項３】
ポータブル録音再生装置と携帯機器からなる録音再生システムであって、
前記携帯機器は、
無線ＬＡＮモジュールと、
録音に関する複数の設定値の組み合わせからなる録音パラメータの設定値セットを記録する携帯機器側メモリと、
を備え、
前記ポータブル録音再生装置は、
無線ＬＡＮモジュールと、
オーディオ信号を入力する入力手段と、
録音に関する複数の設定値の組み合わせからなる録音パラメータの設定値セットを記録する装置側メモリと、
録音パラメータの設定値セットを用いて前記オーディオ信号を記録媒体に記録する処理手段と、
を備え、
前記処理手段は、前記無線ＬＡＮモジュールと携帯機器が無線接続された場合に、前記携帯機器から無線送信されたコマンドに応じて前記装置側メモリに記録された前記設定値セットを読み出して前記携帯機器に無線送信し、前記携帯機器側メモリに記録された前記設定値セット及び無線送信した前記設定値セットの中からユーザによって選択された設定値セットを調整した調整済設定値セットを前記携帯機器から受信し、受信した調整済設定値セットを用いて前記オーディオ信号を記録する
ことを特徴とする録音再生システム。
【請求項４】
請求項３記載の録音再生装置システムにおいて、さらに、
前記ポータブル録音再生装置は、
再生パラメータの設定値を記録する第２メモリ
を備え、
前記処理手段は、前記無線ＬＡＮモジュールと携帯機器が無線接続された場合に、前記携帯機器から無線送信されたコマンドに応じて前記第２メモリに記録された前記設定値を読み出して前記携帯機器に無線送信し、前記携帯機器から無線送信された調整済設定値を受信し、受信した調整済設定値を用いて前記オーディオ信号を再生する
ことを特徴とする録音再生システム。
【請求項５】
請求項３、４のいずれかに記載の録音再生システムにおいて、
前記携帯機器は、前記設定値をインターネットを介して取得する
ことを特徴とする録音再生システム。
【発明の詳細な説明】
【技術分野】
【０００１】
本発明はポータブル録音再生装置に関し、特に無線ＬＡＮ機能を備えたポータブル録音再生装置に関する。
【背景技術】
【０００２】
従来の録音再生装置では、録音条件を規定するパラメータの設定は、録音再生装置のＧＵＩ（グラフィカルユーザインタフェース）を操作してメニュー項目から設定画面を表示して設定する、あるいはリモコン操作によりモニタやテレビ等に設定画面を表示して設定する方法が用いられている。
【０００３】
但し、ポータブルの録音再生装置では、モニタやテレビに設定画面を表示することができないため、例えば録音開始や録音停止等、遠隔操作できる機能に制限があり、遠隔操作による録音パラメータの設定が困難であるのが実情である。
【０００４】
特許文献１には、録音再生機能付音響信号処理装置におけるプリセット値の設定方法について記載されており、複数のプリセット値（設定パラメータ）を着脱可能なデータメモリに記録しておき、必要なときにデータメモリを装置本体にセットし、複数の設定パラメータの中から必要なパラメータを読み出して設定することが記載されている。
【０００５】
特許文献２には、複数のカメラを接続してコントロールするカメラ制御装置におけるプリセット情報の設定方法について記載されており、カメラ及びカメラ制御装置の両方に、それぞれ異なる複数のプリセット情報を保持しておき、カメラ制御装置に保持されているプリセット情報を各カメラに反映させ、あるいは指定のカメラから読み出したプリセット情報を他のカメラに反映させることが記載されている。
【先行技術文献】
【特許文献】
【０００６】
【特許文献１】特開平０５−３４４５９４号公報
【特許文献２】特開２０１０−１１４５２２号公報
【発明の概要】
【発明が解決しようとする課題】
【０００７】
ところで、ポータブル録音装置で複数のバンドが出演するライブの録音を行う場合を想定する。リハーサルあるいは本番において、その都度、各種録音パラメータの設定を行い、かつ、適切な位置にポータブル録音装置を設置して、リモコンが利用できる場合には遠隔操作で録音の開始及び停止を行っている。
【０００８】
しかしながら、バンドによって音量が異なるため録音レベルを変えたい、あるいは録音フォーマットを変えたいと欲する場合が少なくないが、これに対応するためには容易に操作できる位置にポータブル録音装置を配置せざるを得ず、たとえリモコンによる遠隔操作ができたとしても最適な位置に設置できないジレンマが生じる。
【０００９】
従って、ポータブル録音再生装置を最適な位置に設置できるとともに、簡易に録音再生装置の録音パラメータを遠隔操作で設定できる技術が望まれており、再生パラメータについても同様である。
【００１０】
本発明の目的は、遠隔操作で録音パラメータや再生パラメータを設定することができる無線ＬＡＮ機能を備えたポータブル録音再生装置及び録音再生システムを提供することにある。
【課題を解決するための手段】
【００１２】
本発明は、ポータブル録音再生装置と携帯機器からなる録音再生システムであって、前記携帯機器は、無線ＬＡＮモジュールと、録音に関する複数の設定項目に対する複数の設定値の組み合わせからなる録音パラメータの設定値セットを記録する携帯機器側メモリと、を備え、前記ポータブル録音再生装置は、無線ＬＡＮモジュールと、オーディオ信号を入力する入力手段と、録音に関する複数の設定項目に対する複数の設定値の組み合わせからなる録音パラメータの設定値セットを記録する装置側メモリと、録音パラメータの設定値セットを用いて前記オーディオ信号を記録媒体に記録する処理手段と、を備え、前記処理手段は、前記無線ＬＡＮモジュールと携帯機器が無線接続された場合に、前記携帯機器側メモリ及び前記装置側メモリに記録された複数の設定値セットの中からユーザによって選択された設定値セットを用いて前記オーディオ信号を記録することを特徴とする。本発明において、さらに、前記ポータブル録音再生装置は、再生パラメータの複数の設定値を記録する第２メモリを備え、前記処理手段は、前記無線ＬＡＮモジュールと携帯機器が無線接続された場合に、前記携帯機器から無線送信された選択コマンドに応じ、前記第２メモリに記録された複数の設定値の中から選択された設定値を用いて前記オーディオ信号を再生してもよい。
【００１３】
また、本発明は、ポータブル録音再生装置と携帯機器からなる録音再生システムであって、前記携帯機器は、無線ＬＡＮモジュールと、録音に関する複数の設定値の組み合わせからなる録音パラメータの設定値セットを記録する携帯機器側メモリと、を備え、前記ポータブル録音再生装置は、無線ＬＡＮモジュールと、オーディオ信号を入力する入力手段と、録音に関する複数の設定値の組み合わせからなる録音パラメータの設定値セットを記録する装置側メモリと、録音パラメータの設定値セットを用いて前記オーディオ信号を記録媒体に記録する処理手段と、を備え、前記処理手段は、前記無線ＬＡＮモジュールと携帯機器が無線接続された場合に、前記携帯機器から無線送信されたコマンドに応じて前記装置側メモリに記録された前記設定値セットを読み出して前記携帯機器に無線送信し、前記携帯機器側メモリに記録された前記設定値セット及び無線送信した前記設定値セットの中からユーザによって選択された設定値セットを調整した調整済設定値セットを前記携帯機器から受信し、受信した調整済設定値セットを用いて前記オーディオ信号を記録することを特徴とする。本発明において、さらに、前記ポータブル録音再生装置は、再生パラメータの設定値を記録する第２メモリを備え、前記処理手段は、前記無線ＬＡＮモジュールと携帯機器が無線接続された場合に、前記携帯機器から無線送信されたコマンドに応じて前記第２メモリに記録された前記設定値を読み出して前記携帯機器に無線送信し、前記携帯機器から無線送信された調整済設定値を受信し、受信した調整済設定値を用いて前記オーディオ信号を再生してもよい。
【００１５】
本発明の１つの実施形態では、前記携帯機器は、前記設定値をインターネットを介して取得する。
【発明の効果】
【００１６】
本発明によれば、遠隔操作で簡易にポータブル録音再生装置の録音パラメータを設定することができる。従って、ポータブル録音再生装置を所望の位置に設置しつつ、録音対象や周囲環境に応じて最適な録音パラメータを遠隔の位置から設定できるため、録音品質を向上させることができる。再生パラメータについても同様であり、最適な再生パラメータを遠隔の位置から設定できる。
【図面の簡単な説明】
【００１７】
【図１】実施形態のシステム構成図である。
【図２Ａ】実施形態の録音パラメータ設定説明図（その１）である。
【図２Ｂ】実施形態の録音パラメータ設定説明図（その２）である。
【図２Ｃ】実施形態の録音パラメータ設定説明図（その３）である。
【図２Ｄ】実施形態の録音パラメータ設定説明図（その４）である。
【図３】実施形態の録音再生装置の構成ブロック図である。
【発明を実施するための形態】
【００１８】
以下、図面に基づき本発明の実施形態について、ポータブル録音再生装置を例にとり説明する。
【００１９】
図１は、本実施形態のシステム構成図である。ポータブル録音再生装置（以下、単に録音再生装置と称する）１０は、無線接続機能を備えた携帯機器と無線接続する。本実施形態では、無線接続機能を備えた携帯機器としてスマートフォン１２を例示し、無線接続として無線ＬＡＮ、より特定的にはＷｉ−Ｆｉ接続を例示する。Ｗｉ−Ｆｉモジュール等のＷｉ−Ｆｉ通信機能を備えたスマートフォンは公知であり、無線ルータ等のアクセスポイントを介してインターネットに接続し得る。
【００２０】
録音再生装置１０は、公知の録音再生機能を備え、内蔵マイク２２やライン入力端子２４から入力されたオーディオ信号を処理してＳＤカード等の記録媒体に記録し、かつ、ＳＤカードに記録されたオーディオ信号を再生して内蔵スピーカから出力する。また、録音再生装置１０は、Ｗｉ−Ｆｉモジュールを備え、スマートフォン１２との間でＷｉ−Ｆｉ接続する。録音再生装置１０とスマートフォン１２との間のＷｉ−Ｆｉ接続は、基本的には１対１接続であるが、必要に応じて１対多接続でもよい。
【００２１】
録音再生装置１０のユーザは、所望の楽曲パートを演奏したオーディオ信号、あるいはライブ等でのバンド演奏のオーディオ信号を録音再生装置１０の内蔵マイク２２あるいはライン入力端子２４に入力して録音する。図１では、ギター等の楽器１４が示されているが、これ以外の任意のパート、例えばベースパート、ヴォーカルパート、ドラムパート等でもよい。録音再生装置１０は、オーディオ信号を入力してＳＤカード等の記録媒体に記録して録音する。
【００２２】
スマートフォン１２は、Ｗｉ−Ｆｉモジュールを備え、録音再生装置１０とＷｉ−Ｆｉ接続する。ユーザは、スマートフォン１２にインストールされた所定のアプリケーション（録音再生装置１０の監視や制御に必要なアプリケーション）を起動し、このアプリケーションを操作して、録音再生装置１０の動作を制御する。すなわち、アプリケーションを操作することでスマートフォン１２を録音再生装置１０のリモコンとして機能させ、録音再生装置１０の録音開始や録音停止、再生開始や再生停止等を指示する。
【００２３】
録音再生装置１０は、スマートフォン１２からＷｉ−Ｆｉを介して送信された各種コマンドを処理し、このコマンドに応じて録音あるいは再生を実行する。録音を行うに際し、録音再生装置１０は、スマートフォン１２との連携で、録音パラメータを設定し、この録音パラメータに従って録音を実行する。録音パラメータは録音に関わる任意のパラメータであるが、例示すると以下の通りである。
（１）録音レベル
（２）録音フォーマット
（３）サンプリング周波数、量子化ビット数
（４）フィルタ特性
（５）各種エフェクト処理（リミッタ処理やリバーブ処理を含む）
【００２４】
通常、これらの録音パラメータは、プリセット値として予め録音再生装置１０のメモリに記録されており、これを用いてオーディオ信号の録音を行う。
【００２５】
しかしながら、ライブ録音においてバンド毎に録音パラメータを変更したいと欲しても、録音再生装置１０の表示部に表示された設定画面を見ながら変更せざるを得ず、最適の位置及び最適の録音パラメータで録音することが困難である。
【００２６】
そこで、本実施形態では、録音再生装置１０とスマートフォン１２とをＷｉ−Ｆｉ接続し、録音再生装置１０を所望の位置に設置するとともに、手元のスマートフォン１２で録音再生装置１０の録音パラメータの設定値を任意に設定可能とする。録音パラメータの具体的な設定方法としては、スマートフォン１２から録音パラメータの設定値を録音再生装置１０にＷｉ−Ｆｉ接続経由で送信する、録音再生装置１０に予め録音パラメータの複数の設定値を記録しておき、スマートフォン１２側でこれらの中から所望の設定値を選択するコマンドをＷｉ−Ｆｉ接続経由で送信する、録音再生装置１０に予め録音パラメータを記録しておき、スマートフォン１２でこの録音パラメータの設定値を取得して調整し、調整後の録音パラメータの設定値をＷｉ−Ｆｉ接続経由で録音再生装置１０に送信する等がある。
【００２７】
図２Ａ〜図２Ｄは、録音再生装置１０とスマートフォン１２の連携による録音パラメータの設定を示す模式図である。
【００２８】
図２Ａは、第１の方法の模式図である。録音再生装置１０とスマートフォン１２がＷｉ−Ｆｉ接続すると、ユーザは、スマートフォン１２にインストールされた所定のアプリケーションを起動し、アプリケーション内に予め設定されている録音パラメータの設定値を録音再生装置１０に送信する。録音再生装置１０は、受信した録音パラメータの設定値をメモリに格納し、格納した設定値を用いて録音を実行する。なお、予め録音再生装置１０に録音パラメータがプリセットされていても、スマートフォン１２から送信された設定値を優先させて録音パラメータとして用いる。録音再生装置１０は、プリセット値に加え、スマートフォン１２から送信された設定値をメモリに格納する。
【００２９】
図２Ｂは、第２の方法の模式図である。録音再生装置１０とスマートフォン１２がＷｉ−Ｆｉ接続すると、ユーザは、スマートフォン１２にインストールされた所定のアプリケーションを起動する。所定のアプリケーションは、インターネット１００の特定サイトにアクセスし、録音パラメータの設定値をダウンロードして取得し、この設定値を録音再生装置１０に送信する。録音再生装置１０は、受信した録音パラメータの設定値をメモリに格納し、格納した設定値を用いて録音を実行する。この場合、スマートフォン１２は、予め録音パラメータをメモリに記録しておく必要がない。また、インターネット１００の特定サイトに、録音再生装置１０で録音しようとする環境毎に録音パラメータを用意しておけば、録音再生装置１０の設置された環境に応じた録音パラメータの設定値をダウンロードして録音再生装置１０に設定することができる。環境に応じた録音パラメータの設定値とは、例えば、
ＡＡドームのスタンド席でロック音楽を録音する場合の推奨設定値、
ＢＢアリーナのアリーナ席でバラードを録音する場合の推奨設定値、
ＣＣライブハウスでジャズを録音する場合の推奨設定値、
等である。一般的には、録音場所及び楽曲ジャンル毎に設定値が決まるが、必ずしもこれに限定されるものではなく、バンド名毎の設定値や大音量バンドの設定値等も可能であろう。
【００３０】
図２Ｃは、第３の方法の模式図である。録音再生装置１０とスマートフォン１２がＷｉ−Ｆｉ接続すると、ユーザは、スマートフォン１２にインストールされた所定のアプリケーションを起動する。所定のアプリケーションは、録音再生装置１０に対して、プリセット値として予めメモリに記録されている録音パラメータの設定値に関する情報を要求し、録音再生装置１０はこの要求に応じて設定値情報をスマートフォン１２に送信する。例えば、録音再生装置１０のメモリにプリセット値として、複数の設定値
設定値Ｉ
設定値ＩＩ
が予め記録されているものとすると、録音再生装置１０は、設定値Ｉ、ＩＩの情報をスマートフォン１２に送信する。スマートフォン１２の所定のアプリケーションは、録音再生装置１０から送信された設定値情報を受信し、スマートフォン１２の画面に表示する。ユーザは、この画面を視認して、いずれかの設定値を選択する。所定のアプリケーションは、ユーザの選択に応じた選択コマンドを録音再生装置１０に送信する。録音再生装置１０は、選択コマンドを受信し、この選択コマンドで選択された設定値をメモリから読み出し、読み出した設定値を用いて録音を実行する。
【００３１】
設定値Ｉ、ＩＩとしては、録音レベル、録音フォーマット、サンプリング周波数、フィルタ特性、エフェクト処理の少なくともいずれかでよく、あるいはこれらの組み合わせでもよい。例えば、
設定値Ｉ：録音レベル＝Ｌ１、録音フォーマット＝ｗａｖ
設定値ＩＩ：録音レベル＝Ｌ２、録音フォーマット＝ｍｐ３
等である。
【００３２】
図２Ｄは、第４の方法の模式図である。録音再生装置１０とスマートフォン１２がＷｉ−Ｆｉ接続すると、ユーザは、スマートフォン１２にインストールされた所定のアプリケーションを起動する。所定のアプリケーションは、録音再生装置１０に対して、プリセット値として予めメモリに記録されている録音パラメータの設定値を要求し、録音再生装置１０はこの要求に応じて設定値をスマートフォン１２に送信する。スマートフォン１２の所定のアプリケーションは、録音再生装置１０から送信された設定値を受信し、スマートフォン１２の画面に表示する。ユーザは、この画面を視認して、録音パラメータの設定値を調整する。例えば、録音再生装置１０から送信された設定値が、
録音レベル＝Ｌ２
録音フォーマット＝ｍｐ３
サンプリング周波数＝４８ｋＨｚ、１６ビット
であるところ、これを調整して
録音レベル＝Ｌ１
録音フォーマット＝ｗａｖ
サンプリング周波数＝９６ｋＨｚ、２４ビット
と変更する等である。所定のアプリケーションは、ユーザの調整が終了すると、調整後の設定値を録音再生装置１０に送信する。録音再生装置１０は、調整済設定値を受信し、受信した設定値をメモリに記録するとともに、この調整済設定値を用いて録音を実行する。
【００３３】
さらに、スマートフォン１２の所定のアプリケーションは、調整済設定値を録音再生装置１０に送信するとともに、インターネット１００の特定サイトに対して調整済設定値をアップロードする。アップロードされた設定値は、他のユーザの利用に供される。
【００３４】
なお、図２Ａ〜図２Ｄに示す方法は、適宜組み合わせることも可能である。例えば、図２Ｂと図２Ｄを組み合わせ、インターネット１００の特定サイトから録音パラメータの設定値をダウンロードするとともに、ダウンロードした設定値をユーザがスマートフォン１２の所定のアプリケーションを用いて調整して録音再生装置１０に送信し、かつ、調整済設定値をインターネット１００の特定サイトにアップロードする等である。あるいは、図２Ａと図２Ｃを組み合わせ、スマートフォン１２から設定値を録音再生装置１０に送信し、録音再生装置１０で設定値をメモリに格納した後、スマートフォン１２から選択コマンドを送信していずれかの設定値を選択して用いる等である。
【００３５】
次に、本実施形態における録音再生装置１０の具体的な構成について説明する。
【００３６】
図３は、本実施形態の録音再生装置１０の構成ブロック図である。録音再生装置１０は、Ｗｉ−Ｆｉモジュール２０、内蔵マイク２２、ライン入力端子２４、内蔵スピーカ３０、ディスプレイ３２、ＬＥＤ３３、操作ボタン３４、システムコントローラ３６、及びＳＤコネクタ４２を備える。
【００３７】
Ｗｉ−Ｆｉモジュール２０は、無線ＬＡＮモジュールであり、スマートフォン１２とのＷｉ−Ｆｉ接続及びデータ送受を行うモジュールである。Ｗｉ−Ｆｉモジュール２０は、操作ボタン３４の操作に応じて起動し、スマートフォン１２とのＷｉ−Ｆｉ接続を確立する。また、Ｗｉ−Ｆｉモジュール２０は、スマートフォン１２からコマンドを受信し、受信したコマンドをシステムコントローラ３６に供給する。このコマンドは、録音再生装置１０の動作を制御するコマンドであり、録音開始、録音停止等である。また、Ｗｉ−Ｆｉモジュール２０は、システムコントローラ３６から供給されたステータス情報をスマートフォン１２に送信してもよい。
【００３８】
内蔵マイク２２は、Ｒチャンネル及びＬチャンネルのステレオマイクであり、演奏された楽器等のオーディオ信号を入力し、インタフェース（Ｉ／Ｆ）２６に出力する。
【００３９】
ライン入力端子２４は、外部機器からのオーディオ信号をライン入力し、インタフェース（Ｉ／Ｆ）２６に出力する。
【００４０】
インタフェース（Ｉ／Ｆ）２６は、内蔵マイク２２あるいはライン入力端子２４からのオーディオ信号をコーデック（ＣＯＤＥＣ）２８に出力する。
【００４１】
コーデック（ＣＯＤＥＣ）２８は、入力されたオーディオ信号をデジタル信号に変換し、圧縮及び符号化してシステムコントローラ３６に供給する。また、システムコントローラ３６から供給されたオーディオ信号を伸長及び復号化し、アナログオーディオ信号に変換して内蔵スピーカ３０から出力する。コーデック（ＣＯＤＥＣ）２８は、内蔵マイク２２あるいはライン入力端子２４からのオーディオ信号を処理するモジュールと、内蔵スピーカ３０に出力するオーディオ信号を処理するモジュールに分離していてもよい。
【００４２】
ディスプレイ３２は、ＬＣＤパネルあるいは有機ＥＬパネル等から構成され、録音再生装置１０の各種ステータス情報、例えば録音／再生のタイムカウンタや録音レベルを表示する。
【００４３】
ＬＥＤ３３は、Ｗｉ−Ｆｉモジュール２０の起動状態や接続状態を示す。ＬＥＤ３３は、Ｗｉ−Ｆｉモジュールがオフでは消灯状態、Ｗｉ−Ｆｉモジュール２０がオンでは点滅状態（スタンバイ状態）、Ｗｉ−Ｆｉモジュール２０がオンであり、かつＷｉ−Ｆｉ接続状態で点灯状態に移行する。
【００４４】
操作ボタン３４は、録音再生装置１０の動作を指示するボタンである。操作ボタン３４には、Ｗｉ−Ｆｉのオン／オフを切り替えるＷｉ−Ｆｉボタン、録音／再生／停止ボタン、録音レベル調整ボタン、トラック選択ボタン等が含まれる。操作ボタン３４をジョグダイヤルやディスプレイ３２上のタッチボタンとして構成してもよい。録音再生装置１０とスマートフォン１２がＷｉ−Ｆｉ接続され、スマートフォン１２のアプリケーションで録音再生装置１０の動作を制御可能であっても、これらの操作ボタン３４は引き続き有効（アクティブ状態）に設定される。すなわち、システムコントローラ３６は、スマートフォン１２からのコマンドを解釈するとともに、操作ボタン３４からの指示も同時に受け付ける。
【００４５】
システムコントローラ３６は、プロセッサ及びメモリで構成され、録音再生装置１０の各部を制御する。システムコントローラ３６は、ＲＯＭ３８に記録された処理プログラムに従い、ＲＡＭ４０をワーキングメモリとして用いて各種処理を実行する。各種処理には、Ｗｉ−Ｆｉモジュール２０の起動／オフ、スマートフォン１２との接続確立、内蔵マイク２２あるいはライン入力端子２４から入力されたオーディオ信号の処理、当該オーディオ信号のＳＤカードへの記録、当該オーディオ信号の再生、ステータス情報のＷｉ−Ｆｉモジュール２０への供給が含まれる。システムコントローラ３６は、複数のプロセッサを備えていてもよく、ＰＬＤ（プログラマブルロジックデバイス）と協働してもよい。
【００４６】
ＳＤコネクタ４２には、ＳＤカードが装着される。システムコントローラ３６は、オーディオ信号をＳＤカードに記録することで録音する。また、ＳＤカードに記録されているオーディオ信号を読み出し、コーデック（ＣＯＤＥＣ）２８を介して内蔵スピーカ３０から出力する。
【００４７】
システムコントローラ３６は、スマートフォン１２からの要求コマンドに応じ、ＲＯＭ３８あるいはＲＡＭ４０に格納された録音パラメータの設定値を読み出し、Ｗｉ−Ｆｉモジュール２０を介してスマートフォン１２に送信する。また、スマートフォン１２から録音パラメータの設定値が送信されると、Ｗｉ−Ｆｉモジュール２０を介してこれを受信し、ＲＯＭ３８あるいはＲＡＭ４０に格納する。図２Ａ〜図２Ｄの各方法に即して説明すると、以下の通りである。
【００４８】
図２Ａ及び図２Ｂの場合、システムコントローラ３６は、スマートフォン１２から送信された録音パラメータの設定値を受信し、ＲＯＭ３８あるいはＲＡＭ４０に格納する。録音再生装置１０の電源オフ後も設定値を有効に保持するために、不揮発性のＲＯＭ３８に設定値を格納しておくのが望ましい。その後、システムコントローラ３６は、スマートフォン１２から録音開始コマンドを受信すると、メモリに格納された録音パラメータの設定値を用いて録音を実行する。すなわち、録音パラメータの設定値で規定される録音レベル、録音フォーマット、サンプリング周波数、ビット数、フィルタ特性及びエフェクト処理を施してオーディオ信号をＳＤカードに記録する。
【００４９】
図２Ｃの場合、システムコントローラ３６は、スマートフォン１２からの要求に応じ、ＲＯＭ３８あるいはＲＡＭ４０に格納されている録音パラメータの設定値を読み出し、これらの一覧を作成して設定情報としてスマートフォン１２に送信する。また、スマートフォン１２から送信された選択コマンドを受信すると、この選択コマンドで選択された録音パラメータの設定値をＲＯＭ３８あるいはＲＡＭ４０から読み出す。その後、システムコントローラ３６は、スマートフォン１２から録音開始コマンドを受信すると、読み出した録音パラメータの設定値を用いて録音を実行する。
【００５０】
図２Ｄの場合、システムコントローラ３６は、スマートフォン１２からの要求に応じ、ＲＯＭ３８あるいはＲＡＭ４０に格納されている録音パラメータの設定値を読み出し、スマートフォン１２に送信する。また、スマートフォン１２から送信された調整済設定値を受信すると、これをＲＯＭ３８あるいはＲＡＭ４０に格納する。その後、システムコントローラ３６は、スマートフォン１２から録音開始コマンドを受信すると、メモリに格納された録音パラメータの設定値を用いて録音を実行する。
【００５１】
以上、本発明の実施形態について説明したが、本発明はこれに限定されず、種々の変更が可能である。
【００５２】
例えば、図２Ｃの方法において、複数の録音パラメータの設定値が予め録音再生装置１０に格納されており、いずれかの録音パラメータを用いて録音を実行した後、当該録音パラメータを録音再生装置１０からスマートフォン１０に送信し、スマートフォン１２のメモリに保持してもよい。
【００５３】
また、スマートフォン１２に所定のアプリケーションをインストールする際に、インターネット１００の特定のサイトからダウンロードするとともに、所定のアプリケーションに付随して、複数の録音パラメータも併せてダウンロードしてもよい。特定サイトからダウンロードされた録音パラメータの設定値は、図２Ｂに示す方法により録音再生装置１０のメモリに格納される。複数の録音パラメータは、予め所定のアプリケーションを作成するメーカが提供してもよく、あるいは本システムを利用するユーザが有償もしくは無償で提供してもよい。静止画や動画、楽曲、書籍等の電子商取引は公知であるが、本実施形態によれば、録音パラメータの設定値に関する電子商取引が実現する。
【００５４】
なお、楽曲データにその楽曲を録音したときの録音パラメータがメタデータとして添付されている場合に、当該楽曲データをダウンロードする際に録音パラメータを抽出し、抽出した録音パラメータをスマートフォン１２から録音再生装置１０に送信してもよい。
また、本実施形態では、無線接続としてＷｉ−Ｆｉ接続を例示したが、ブルートゥース（登録商標）等を用いてもよい。
【００５５】
本実施形態において、録音パラメータは、既述したように、録音レベル、録音フォーマット等の少なくともいずれかでよく、あるいはこれらの組み合わせでもよい。組み合わせの場合、録音パラメータをセットとして録音再生装置１０あるいはスマートフォン１２のメモリに複数保持しておく。録音再生装置１０のメモリ制限によって、少ない録音パラメータセット数しか保持できなくても、スマートフォン１２のメモリにより多くのセット数を保持することで多様な録音条件での録音が可能である。スマートフォン１２から録音再生装置１０に保持された複数の録音パラメータセットの中から所望のセットを選択してもよいし、スマートフォン１２に保持された複数の録音パラメータセットの中から所望のセットを選択して録音再生装置１０に無線送信してもよい。例えば、スマートフォン１２のメモリに、（録音フォーマット、サンプリング周波数、量子化ビット数、録音レベル、フィルタ、リミッタ、エフェクト、その他）からなる録音パラメータセットとして、セット１、セット２、セット３、セット４を保持しておき、ユーザがこのうちセット１を選択して録音再生装置１０に無線送信する等である。勿論、録音パラメータセットを構成するパラメータの組み合わせは、固定でもよいしユーザが適宜選択できるようにしてもよい。例えば、録音パラメータセットとして、（録音フォーマット、録音レベル）とする等である。
【００５６】
また、本実施形態では、録音パラメータの設定について説明したが、録音パラメータに代えて、あるいは録音パラメータとともに、同様に再生パラメータをスマートフォン１２からの無線送信によって設定することもできる。この場合、再生パラメータとして、再生フォーマットや再生レベル等を個別に、あるいはセットとして設定すればよい。スマートフォン１２から録音再生装置１０に保持された複数の再生パラメータセットの中から所望のセットを選択してもよいし、スマートフォン１２に保持された複数の再生パラメータセットの中から所望のセットを選択して録音再生装置１０に無線送信してもよい。また、録音再生装置１０に保持された再生パラメータセットをスマートフォン１２で調整し、調整済みの設定値として録音再生装置１０に無線送信してもよい。再生パラメータセットは、録音再生装置１０のＲＯＭ３８あるいはＲＡＭ４０に録音パラメータセットとともに格納されていてもよく、録音パラメータセットとは別のメモリに格納されていてもよい。再生パラメータセットを格納するメモリを第２メモリとすると、第２メモリは録音パラメータセットを格納するメモリ（ＲＯＭ３８あるいはＲＡＭ）と同一でもよく、異なるメモリでもよい。また、スマートフォン１２に所定のアプリケーションをインストールする際に、インターネット１００の特定のサイトからダウンロードするとともに、所定のアプリケーションに付随して、複数の再生パラメータも併せてダウンロードしてもよい。
【符号の説明】
【００５７】
１０  録音再生装置、１２  スマートフォン、１４  楽器、２０  Ｗｉ−ＦＩモジュール、２２  内蔵マイク、２４  ライン入力端子、３０  内蔵スピーカ、３２  ディスプレイ、３３  ＬＥＤ、３４  操作ボタン、３６  システムコントローラ、４２  ＳＤコネクタ。
【図１】
0006641689.tif 000002
【図２Ａ】
0006641689.tif 000003
【図２Ｂ】
0006641689.tif 000004
【図２Ｃ】
0006641689.tif 000005
【図２Ｄ】
0006641689.tif 000006
【図３】
0006641689.tif 000007